(57)【要約】【課題】バックアップ電源の容量を小さくして、安価にすることができると共にサイズを小さくすることができる記録装置を提供する。【解決手段】バックアップ電源１５と、停電検知手段１３と、停電検知時に通常電源からバックアップ電源に切り換える制御手段１７と、データを記録する２台の記録手段２１，２３とを備え、前記２台の記録手段は一方がメイン記録手段２１とされ、他方の記録手段についてはバックアップ記録手段２３とされる記録装置において、制御手段１５は、通常電源によりメイン記録手段２１がデータ記録中に停電検知された場合、メイン記録手段２１及びバックアップ記録手段２３にバックアップ電源を供給し、メイン記録手段２１によるデータの記録終了後、メイン記録手段２１へのバックアップ電源の供給を停止する。【選択図】        図３
2007148523.tif 000002
【特許請求の範囲】
【請求項１】
通常電源装置と、バックアップ電源装置と、通常電源装置に対する停電検知手段と、停電検知時に前記通常電源装置から前記バックアップ電源装置に電源供給を切り換える制御手段と、データを記録する２台の記録手段とを備え、前記２台の記録手段は一方がメイン記録手段とされ、他方の記録手段については前記メイン記録手段によるデータの記録終了後にデータの記録開始が行われるバックアップ記録手段とされる記録装置において、
前記制御手段は、前記通常電源装置からの通常電源の供給によって前記メイン記録手段でデータ記録中に前記停電検知手段が停電検知した場合、前記メイン記録手段及び前記バックアップ記録手段に前記バックアップ電源装置からバックアップ電源を供給し、前記メイン記録手段によるデータの記録終了後、前記メイン記録手段への前記バックアップ電源の供給を停止することを特徴とする記録装置。
【請求項２】
前記制御手段は、前記通常電源装置からの通常電源の供給によって前記バックアップ記録手段でデータ記録中に前記停電検知手段が停電検知した場合、前記バックアップ記録手段へ前記バックアップ電源装置からバックアップ電源を供給する一方、前記メイン記録手段へ前記バックアップ電源を供給しないことを特徴とする請求項１に記載の記録装置。
【請求項３】
通常電源装置と、バックアップ電源装置と、前記通常電源装置に対する停電検知手段と、停電検知時に前記通常電源装置から前記バックアップ電源装置に電源供給を切り換える制御手段と、データを記録する複数の記録手段とを備え、前記複数の記録手段は一つがメイン記録手段とされ、他の記録手段については前記メイン記録手段によるデータの記録終了後に順次データの記録が行われるバックアップ記録手段とされる記録装置において、
前記制御手段は、前記通常電源装置からの通常電源の供給によって前記複数の記録手段のうち何れか一つの記録手段でデータ記録中に前記停電検知手段が停電検知した場合、データ記録中の記録手段については前記バックアップ電源装置からバックアップ電源を供給すると共に他の記録手段については前記バックアップ電源を供給せず、前記バックアップ電源の供給によってデータ記録中の記録手段がデータ記録終了後、未だデータ記録開始前の記録手段が存在する場合には記録開始される記録手段に前記バックアップ電源を供給開始すると共にデータの記録が終了した記録手段については前記バックアップ電源の供給を停止することを特徴とする記録装置。
【発明の詳細な説明】
【技術分野】
【０００１】
本発明は、データをメイン記録手段の次にバックアップ記録手段に記録する記録装置に関する。
【背景技術】
【０００２】
従来、データをメイン記録手段で記録した後にバックアップ記録手段で記録する記録装置として、停電時のためのバックアップ電源装置を備え、記録手段によるデータ記録中に停電が発生した場合、メイン記録手段及びバックアップ記録手段へバックアップ電源から電源を供給してデータの記録を続行させるものが知られている。
【０００３】
しかし、従来のバックアップ電源装置を備える記録装置においては、データを記録している最中に停電が発生した場合、メイン記録手段とバックアップ記録手段の全てに対してバックアップ電源から電源を供給してデータの記録を完遂させているため、バックアップ電源装置として大容量のものが必要となり、高価になると共にサイズも大きくなる問題がある。
【０００４】
【特許文献１】特開２００４−２３４４１７号公報
【特許文献２】特開２０００−２８５５４７号公報
【特許文献３】特開平１１−６７６１４号公報
【発明の開示】
【発明が解決しようとする課題】
【０００５】
本発明は前記の点に鑑みなされたものであり、バックアップ電源装置の容量を小さくして、安価にできると共にサイズを小さくすることができる記録装置の提供を目的とする。
【課題を解決するための手段】
【０００６】
請求項１の発明は、通常電源装置と、バックアップ電源装置と、通常電源装置に対する停電検知手段と、停電検知時に前記通常電源装置から前記バックアップ電源装置に電源供給を切り換える制御手段と、データを記録する２台の記録手段とを備え、前記２台の記録手段は一方がメイン記録手段とされ、他方の記録手段については前記メイン記録手段によるデータの記録終了後にデータの記録開始が行われるバックアップ記録手段とされる記録装置において、前記制御手段は、前記通常電源装置からの通常電源の供給によって前記メイン記録手段でデータ記録中に前記停電検知手段が停電検知した場合、前記メイン記録手段及び前記バックアップ記録手段に前記バックアップ電源装置からバックアップ電源を供給し、前記メイン記録手段によるデータの記録終了後、前記メイン記録手段への前記バックアップ電源の供給を停止することを特徴とする。
【０００７】
請求項２の発明は、請求項１において、前記制御手段は、前記通常電源装置からの通常電源の供給によって前記バックアップ記録手段でデータ記録中に前記停電検知手段が停電検知した場合、前記バックアップ記録手段へ前記バックアップ電源装置からバックアップ電源を供給する一方、前記メイン記録手段へ前記バックアップ電源を供給しないことを特徴とする。
【０００８】
請求項３の発明は、通常電源装置と、バックアップ電源装置と、前記通常電源装置に対する停電検知手段と、停電検知時に前記通常電源装置から前記バックアップ電源装置に電源供給を切り換える制御手段と、データを記録する複数の記録手段とを備え、前記複数の記録手段は一つがメイン記録手段とされ、他の記録手段については前記メイン記録手段によるデータの記録終了後に順次データの記録が行われるバックアップ記録手段とされる記録装置において、前記制御手段は、前記通常電源装置からの通常電源の供給によって前記複数の記録手段のうち何れか一つの記録手段でデータ記録中に前記停電検知手段が停電検知した場合、データ記録中の記録手段については前記バックアップ電源装置からバックアップ電源を供給すると共に他の記録手段については前記バックアップ電源を供給せず、前記バックアップ電源の供給によってデータ記録中の記録手段がデータ記録終了後、未だデータ記録開始前の記録手段が存在する場合には記録開始される記録手段に前記バックアップ電源を供給開始すると共にデータの記録が終了した記録手段については前記バックアップ電源の供給を停止することを特徴とする。
【発明の効果】
【０００９】
請求項１の発明によれば、通常電源の供給によってメイン記録手段でデータ記録中に停電検知手段が停電検知した場合、メイン記録手段及びバックアップ記録手段にバックアップ電源を供給し、メイン記録手段によるデータの記録終了後、メイン記録手段へのバックアップ電源の供給を停止するため、バックアップ記録手段がデータの記録を終了させるまでメイン記録手段とバックアップ記録手段の両方にバックアップ電源を供給するのと比べ、バックアップ電源装置の容量が小さくて済み、安価にできると共にサイズを小さくすることができる。
【００１０】
請求項２の発明によれば、通常電源の供給によってバックアップ記録手段でデータ記録中に停電検知手段が停電検知した場合、バックアップ記録手段へバックアップ電源を供給する一方、メイン記録手段へはバックアップ電源を供給しないため、バックアップ記録手段がデータの記録を終了させるまでメイン記録手段とバックアップ記録手段の両方にバックアップ電源を供給するのと比べ、バックアップ電源装置の容量が小さくて済み、安価にできると共にサイズを小さくすることができる。
【００１１】
請求項３の発明によれば、通常電源の供給により複数の記録手段のうち何れか一つの記録手段でデータ記録中に停電検知手段が停電検知した場合、データ記録中の記録手段についてはバックアップ電源を供給すると共に他の記録手段についてはバックアップ電源を供給せず、バックアップ電源の供給によってデータ記録中の記録手段がデータ記録終了後、未だデータ記録開始前の記録手段が存在する場合には記録開始される記録手段にバックアップ電源を供給開始すると共にデータの記録が終了した記録手段についてはバックアップ電源の供給を停止するため、全てのバックアップ記録手段がデータの記録を終了させるまで、メイン記録手段及び全てのバックアップ記録手段に対してバックアップ電源を供給するのと比べ、バックアップ電源装置の容量が小さくて済み、安価にできると共にサイズを小さくすることができる。
【発明を実施するための最良の形態】
【００１２】
以下この発明の実施形態を説明する。図１は本発明の第１〜第３実施形態に共通する記録装置の概略構成を示すブロック図、図２は第１実施形態においてメインＨＤの記録中に停電検知した場合を示すブロック図、図３は第１実施形態においてバックアップ電源でメインＨＤが記録を終了した場合を示すブロック図、図４は第２実施形態において通常電源でバックアップＨＤの記録中を示すブロック図、図５は第２実施形態においてバックアップＨＤの記録中に停電検知した場合を示すブロック図、図６は第３実施形態においてメインＨＤの記録中に停電検知した場合の電源切り換えを示すブロック図、図７は第３実施形態においてバックアップ電源によりメインＨＤがデータの記録を終了した場合を示すブロック図、図８は第３実施形態においてバックアップＨＤの記録中に停電検知した場合を示すブロック図である。
【００１３】
図１に示す実施形態の記録装置１０は、監視カメラで撮影されたデータを記録し、また記録されたデータを再生するものであり、監視カメラ装置及び再生モニタ装置と接続される。
【００１４】
前記記録装置１０は、通常電源装置１１と、停電検知回路１３と、バックアップ電源装置１５と、制御回路１７と、ＳＲＡＭ１９と、メインＨＤ（ハードディスク）２１、バックアップＨＤ（ハードディスク）２３とを備える。
【００１５】
前記通常電源装置１１は、ＡＣ１００Ｖの商用電源を記録装置１０に適した通常電源に変換して各回路や装置に供給するためのものである。
【００１６】
前記停電検知回路１３は、本発明における停電検知手段に相当し、前記通常電源装置１１からの電源供給線に接続され、前記通常電源が所定電圧から低下した場合に停電を検知し、前記制御回路１７へ検知信号を送信するように構成されている。
【００１７】
前記バックアップ電源装置１５は、停電時に前記通常電源装置１１に代わってバックアップ電源を各回路や装置に供給するためのものである。前記バックアップ電源装置１５は、コンデンサーや蓄電池等、蓄電可能なもので構成され、前記通常電源装置１１からの電源供給線に接続されて通常時（非停電時）に充電されている。
【００１８】
前記バックアップ電源装置１５及び前記通常電源装置１１は、スイッチＳＷ１を介して前記制御回路１７と接続され、またスイッチＳＷ２、ＳＷ３を介して前記メインＨＤ２１とバックアップＨＤ２３にそれぞれ接続されている。前記スイッチＳＷ１〜ＳＷ３はリレー等の切り換えスイッチで構成され、前記制御回路１７によって切り換えの制御が行われる。
【００１９】
前記制御回路１７は、本発明の制御手段に相当するものであって、マイクロコンピュータを備え、入力データ（撮影カメラで撮影された撮影データ）を前記メインＨＤ２１と前記バックアップＨＤ２３に記録させると共に、前記メインＨＤ２１及びバックアップＨＤ２３に記録されているデータを出力データとして再生モニタに送り、再生できるようにする。さらに前記制御回路１７は、前記停電検知回路１３による前記通常電源装置１１に対する停電検知によって前記スイッチＳＷ１〜ＳＷ３の制御を行う。
【００２０】
前記制御回路１７によるスイッチＳＷ１の制御は、前記停電検知回路１３が停電を検知していない通常時には、前記通常電源装置１１と前記制御回路１７の接続をＯＮ（バックアップ電源装置１５との接続をＯＦＦ）にして、前記制御回路１７に通常電源装置１１から通常電源を供給する。一方、前記停電検知回路１３が停電を検知した時には、前記バックアップ電源装置１５と制御回路１７の接続をＯＮ（通常電源装置１１との接続をＯＦＦ）にして、前記制御回路１７にバックアップ電源装置１５からバックアップ電源を供給する。
【００２１】
また、前記制御回路１７によるスイッチＳＷ２〜ＳＷ３の制御については、第１実施形態、第２実施形態及び第３実施形態でそれぞれ相違しており、後に詳述する。
【００２２】
前記ＳＲＡＭ１９はスタティックラムであり、キャッシュメモリとして使用されている。すなわち、前記制御回路１７に入力した入力データは、前記ＳＲＡＭ１９に一旦記録され、その後に前記メインＨＤ２１及びバックアップＨＤ２３に送信されて前記メインＨＤ２１及びバックアップＨＤ２３で記録される。なお、前記ＳＲＡＭ１９には制御回路１７を経由して電源が供給される。
【００２３】
前記メインＨＤ２１及びバックアップＨＤ２３は、本発明の記録手段に相当し、さらに前記メインＨＤ２１がメイン記録手段、前記バックアップＨＤ２３がバックアップ記録手段に相当する。前記メインＨＤ２１及び前記バックアップＨＤ２３は前記制御回路１７によって制御され、データを記録する際、最初に前記メインＨＤ２１で前記データを記録し、前記メインＨＤ２１による記録終了後に、前記バックアップＨＤ２３で前記データを記録する。前記メインＨＤ２１及び前記バックアップＨＤ２３には、前記通常電源装置１１からの通常電源と前記バックアップ電源装置１５からのバックアップ電源が、前記スイッチＳＷ２とＳＷ３で切り換えて供給される。
【００２４】
ここで、前記制御装置１７によるスイッチＳＷ２とＳＷ３の制御について、第１実施形態を説明する。通常時（非停電時）においては、図１に示すように、前記スイッチＳＷ２とＳＷ３が、前記通常電源装置１１とメインＨＤ２１及びバックアップＨＤ２３との接続をＯＮ（バックアップ電源装置１５との接続をＯＦＦ）にし、前記通常電源装置１１からメインＨＤ２１とバックアップＨＤ２３に通常電源を供給する。
【００２５】
前記通常時において、前記メインＨＤ２１によるデータ記録中に、前記停電検知回路１３が停電を検知すると、図２に示すように前記スイッチＳＷ２及びＳＷ３が、前記メインＨＤ２１及びバックアップＨＤ２３と前記バックアップ電源装置１５との接続をＯＮ（通常電源装置１１との接続をＯＦＦ）にして、前記メインＨＤ２１及びバックアップＨＤ２３の両方にバックアップ電源装置１５からバックアップ電源を供給し、前記メインＨＤ２１におけるデータの記録続行を可能にする。そして、前記バックアップ電源の供給によって前記メインＨＤ２１がデータの記録を終了した時点で、図３に示すように、前記ＳＷ２が前記メインＨＤ２１と前記バックアップ電源装置１５との接続をＯＦＦ（通常電源装置１１との接続をＯＮ）にし、前記メインＨＤ２１へのバックアップ電源の供給を停止する。その際、前記スイッチＳＷ３は、前記バックアップＨＤ２３と前記バックアップ電源装置１５との接続をＯＮ（通常電源装置１１との接続をＯＦＦ）状態で維持し、前記バックアップ電源を前記バックアップＨＤ２３に供給し続けて前記バックアップＨＤ２３でデータの記録（バックアップ）を開始させる。その後、前記バックアップＨＤ２３によるデータの記録が終了すると、前記ＳＷ３が前記バックアップＨＤ２３と前記バックアップ電源装置１５との接続をＯＦＦ（通常電源装置１１との接続をＯＮ）にし、前記バックアップＨＤ２３へのバックアップ電源の供給を停止する。
【００２６】
一方、前記通常時において、前記バックアップＨＤ２３によるデータ記録中、すなわち前記メインＨＤ２１による記録終了後における前記バックアップＨＤ２３による記録中に、前記停電検知回路１３が停電を検知すると、前記スイッチＳＷ２及びＳＷ３が、前記メインＨＤ２１及びバックアップＨＤ２３とバックアップ電源装置１５との接続をＯＮ（通常電源装置１１との接続をＯＦＦ）にして、前記メインＨＤ２１及びバックアップＨＤ２３の両方にバックアップ電源装置１５からバックアップ電源を供給し、前記バックアップＨＤ２３におけるデータの記録続行を可能にする。そして、前記バックアップＨＤ２３によるデータの記録が終了すると、前記ＳＷ３が前記メインＨＤ２１及びバックアップＨＤ２３と前記バックアップ電源装置１５との接続をＯＦＦ（通常電源装置１１との接続をＯＮ）にし、前記バックアップ電源装置１５から前記メインＨＤ２１及びバックアップＨＤ２３へのバックアップ電源の供給を停止する。
【００２７】
次に、前記制御装置１７によるスイッチＳＷ２とＳＷ３の制御に関する第２実施形態について説明する。第２実施形態においても、通常時（非停電時）には、第１実施形態の図１と同様に、前記スイッチＳＷ２とＳＷ３が、前記メインＨＤ２１及びバックアップＨＤ２３と前記通常電源装置１１との接続をＯＮ（バックアップ電源装置１５との接続をＯＦＦ）にし、前記通常電源装置１１からメインＨＤ２１とバックアップＨＤ２３に通常電源を供給する。
【００２８】
また、前記通常時において、前記メインＨＤ２１によるデータ記録中に、前記停電検知回路１３が停電を検知すると、図２に示した第１実施形態と同様に、前記スイッチＳＷ２及びＳＷ３が、前記メインＨＤ２１及びバックアップＨＤと前記バックアップ電源装置１５との接続をＯＮ（通常電源装置１１との接続をＯＦＦ）にして、前記メインＨＤ２１及びバックアップＨＤ２３の両方に前記バックアップ電源装置１５からバックアップ電源を供給し、前記メインＨＤ２１におけるデータの記録続行を可能にする。そして、前記バックアップ電源の供給によって前記メインＨＤ２１がデータの記録を終了すると、図３に示した第１実施形態と同様に、前記ＳＷ２が前記メインＨＤ２１とバックアップ電源装置１５との接続をＯＦＦ（通常電源装置１１との接続をＯＮ）にし、前記メインＨＤ２１へのバックアップ電源の供給を停止する。その際、前記スイッチＳＷ３は、前記バックアップＨＤ２３とバックアップ電源装置１５との接続をＯＮ（通常電源装置１１との接続をＯＦＦ）状態で維持し、前記バックアップ電源装置１５から前記バックアップＨＤ２３にバックアップ電源を供給し続けて前記バックアップＨＤ２３でデータの記録（バックアップ）を開始させる。その後、前記バックアップＨＤ２３によるデータの記録が終了すると、前記ＳＷ３が前記バックアップＨＤ２３とバックアップ電源装置１５との接続をＯＦＦ（通常電源装置１１との接続をＯＮ）にし、前記バックアップ電源装置１５から前記バックアップＨＤ２３へのバックアップ電源の供給を停止する。
【００２９】
一方、前記通常時において、図４に示すように、前記バックアップＨＤ２３によるデータ記録中、すなわち前記メインＨＤ２１による記録終了後における前記バックアップＨＤ２３による記録中に、前記停電検知回路１３が停電を検知した場合、図５に示すように前記スイッチＳＷ２については、前記メインＨＤ２１とバックアップ電源装置１５との接続をＯＦＦ（通常電源装置１１との接続をＯＮ）状態で維持して、前記メインＨＤ２１にバックアップ電源を供給しないようにする一方、前記スイッチＳＷ３については、前記バックアップＨＤ２３とバックアップ電源装置１５との接続をＯＮ（通常電源装置１１との接続をＯＦＦ）にして、前記バックアップＨＤ２３にバックアップ電源装置１５からバックアップ電源を供給し、前記バックアップＨＤ２３におけるデータの記録続行を可能にする。そして、前記バックアップＨＤ２３によるデータの記録が終了すると、前記ＳＷ３が前記バックアップＨＤ２３とバックアップ電源装置１５との接続をＯＦＦ（通常電源装置１１との接続をＯＮ）にし、前記バックアップ電源装置１５から前記バックアップＨＤ２３へのバックアップ電源の供給を停止する。
【００３０】
前記制御装置１７によるスイッチＳＷ２とＳＷ３の制御に関する第３実施形態について説明する。第３実施形態においても、通常時（非停電時）には、第１実施形態の図１と同様に、前記スイッチＳＷ２とＳＷ３が、前記メインＨＤ２１及びバックアップＨＤ２３と前記通常電源装置１１との接続をＯＮ（バックアップ電源装置１５との接続をＯＦＦ）にし、前記通常電源装置１１からメインＨＤ２１とバックアップＨＤ２３に通常電源を供給する。
【００３１】
前記通常時において、前記メインＨＤ２１によるデータ記録中に、前記停電検知回路１３が停電を検知すると、図６に示すように、前記スイッチＳＷ２が、前記メインＨＤ２１と前記バックアップ電源装置１５との接続をＯＮ（通常電源装置１１との接続をＯＦＦ）にして、前記メインＨＤ２１にバックアップ電源装置１５からバックアップ電源を供給し、前記メインＨＤ２１におけるデータの記録続行を可能にする。その際、前記スイッチＳＷ３は、前記バックアップＨＤ２３と前記バックアップ電源装置１５との接続をＯＦＦ（通常電源装置１１との接続をＯＮ）状態で維持し、前記バックアップＨＤ２３にバックアップ電源を供給しないようにする。
【００３２】
そして、前記バックアップ電源の供給によって前記メインＨＤ２１がデータの記録を終了した時点で、図７に示すように、前記ＳＷ２が前記メインＨＤ２１と前記バックアップ電源装置１５との接続をＯＦＦ（通常電源装置１１との接続をＯＮ）にすると共に、前記スイッチＳＷ３が、前記バックアップＨＤ２３と前記バックアップ電源装置１５との接続をＯＮ（通常電源装置１１との接続をＯＦＦ）にする。これにより、前記バックアップＨＤ２３は前記バックアップ電源が供給され、データの記録（バックアップ）を開始する。その後、前記バックアップＨＤ２３によるデータの記録が終了すると、前記ＳＷ３が前記バックアップＨＤ２３と前記バックアップ電源装置１５との接続をＯＦＦ（通常電源装置１１との接続をＯＮ）にし、前記バックアップ電源装置１５から前記バックアップＨＤ２３へのバックアップ電源の供給を停止する。
【００３３】
一方、前記通常時において、前記バックアップＨＤ２３によるデータ記録中、すなわち前記メインＨＤ２１によるデータの記録終了後の前記バックアップＨＤ２３による記録中に、前記停電検知回路１３が停電を検知すると、図８に示すように前記スイッチＳＷ２は、前記メインＨＤ２１と前記バックアップ電源装置１５との接続をＯＦＦ（通常電源装置１１との接続をＯＮ）状態で維持し、前記メインＨＤ２１にバックアップ電源を供給しないようにする。一方、前記スイッチＳＷ３は、前記バックアップＨＤ２３と前記バックアップ電源装置１５との接続をＯＮ（通常電源装置１１との接続をＯＦＦ）にして、前記バックアップＨＤ２３にバックアップ電源装置１５からバックアップ電源を供給し、前記バックアップＨＤ２３でデータの記録続行を可能にする。そして、前記バックアップＨＤ２３によるデータの記録が終了すると、前記ＳＷ３が前記前記バックアップＨＤ２３と前記バックアップ電源装置１５との接続をＯＦＦ（通常電源装置１１との接続をＯＮ）にし、前記バックアップ電源装置１５から前記バックアップＨＤ２３へのバックアップ電源の供給を停止する。
【００３４】
なお、前記第３実施形態に関し、前記記録手段が２台の場合について説明したが、記録手段を３台以上とし、それぞれに通常電源とバックアップ電源を切り換える切り換えスイッチを設けてもよい。その場合、１台の記録手段がメイン記録手段とされ、残りの記録手段がバックアップ記録手段とされる。さらにバックアップ記録手段は、記録開始の順番が決められており、先の順番のものが記録終了した後に次の順番のものが記録を開始するように制御手段（前記の例では制御回路１７）で制御される。
【００３５】
前記記録手段を３台以上とする場合の制御について説明する。前記通常時、１台の記録手段（メイン記録手段またはバックアップ記録手段の何れでもよい）によるデータ記録中に前記停電検知手段（前記停電検知回路１３）で停電が検知されると、現在記録中の記録手段に対する電源供給を通常電源装置からバックアップ電源装置に切り換えてデータの記録を続行させ、一方、他の記録手段については、切り換えスイッチによる切り換えを行わず、バックアップ電源装置からバックアップ電源が供給されないようにする。そして、データ記録中の記録手段が記録を終了した後に、未だデータ記録開始前の記録手段（記録の済んでいない記録手段）が存在する場合、次に記録が開始される記録手段に対する電源供給を切り換えスイッチによりバックアップ電源装置に切り換えてデータの記録を開始させる。それと共に、データの記録が終了した記録手段については切り換えスイッチによりバックアップ電源の供給を停止する。それ以降、同様にして記録開始する記録手段に対して順番にバックアップ電源を供給すると共に、記録終了した記録手段に対してバックアップ電源の供給を停止する。
【００３６】
このように、本発明の記録装置では、データの記録が終了した記録手段あるいは記録開始前の記録手段に対してバックアップ電源を供給しないため、バックアップ電源装置の容量を小さくして安価にできると共にサイズを小さくすることができる。
【図面の簡単な説明】
【００３７】
【図１】本発明の第１〜第３実施形態に共通する記録装置の概略構成を示すブロック図である。
【図２】第１実施形態においてメインＨＤの記録中に停電検知した場合の切り換えを示すブロック図である。
【図３】第１実施形態においてバックアップ電源でメインＨＤが記録を終了した場合の切り換えを示すブロック図である。
【図４】第２実施形態において通常電源でバックアップＨＤの記録中を示すブロック図である。
【図５】第２実施形態においてバックアップＨＤの記録中に停電検知した場合の切り換えを示すブロック図である。
【図６】第３実施形態においてメインＨＤの記録中に停電検知した場合の切り換えを示すブロック図である。
【図７】第３実施形態においてバックアップ電源の供給によってメインＨＤが記録を終了した場合の切り換えを示すブロック図である。
【図８】第３実施形態においてバックアップＨＤの記録中に停電検知した場合の切り換えを示すブロック図である。
【符号の説明】
【００３８】
１０  記録装置
１１  通常電源装置
１３  停電検知回路
１５  バックアップ電源装置
１７  制御回路
１９  ＳＲＡＭ
２１  メインＨＤ
２３  バックアップＨＤ
【図１】
2007148523.tif 000003
【図２】
2007148523.tif 000004
【図３】
2007148523.tif 000005
【図４】
2007148523.tif 000006
【図５】
2007148523.tif 000007
【図６】
2007148523.tif 000008
【図７】
2007148523.tif 000009
【図８】
2007148523.tif 000010